(57)【要約】【課題】  急須等を使ってのお茶が飲まれなくなった理由の一つに茶殻の処理の煩わしさがありいろいろな茶漉しが考案されているが濾過資材が茶漉しに固着している為、結局茶殻をばらの状態で処理する為、シンクが汚れたり、茶漉しに残った茶殻は最後には手を濡らして洗うことになる。そこでティーバッグのように、茶漉しでも濾過資材に茶殻を包みこみ、処理する濾過資材交換可能な茶漉しの提案を課題とする。【解決手段】  不織布等の濾過資材を２枚正方形に切り取り、重ね合せて、重なった隣接する２辺をシールし、それらシールされた２辺の接合点を最下点に位置すると末広がりの袋状となる。又この末広がりの濾過資材を支持する支持具は薄板状の合成樹脂板等で末広がりに作られる。この濾過資材を支持具に取り付けて茶漉しとする。【選択図】      図４
2010284193.tif 000002
【特許請求の範囲】
【請求項１】
お茶、紅茶等茶葉の成分抽出用の茶漉しに於て、当該茶漉しは通水性のある外枠フレームの支持具と濾過資材で構成されていて、当該濾過資材は支持具から取り外し可能な構造になっていることを特徴とする茶漉しである。
【請求項２】
請求項１記載の茶漉しに於て、当該茶漉しは、急須、ポット等の上部注湯口周囲に設けられた蓋を載置する載置部に装置可能な構造になっていることを特徴とする茶漉しである。
【請求項３】
請求項１或いは２のいずれか記載の茶漉しに於て、当該茶漉しの濾過資材には把っ手が設けられていることを特徴とする茶漉しである
【請求項４】
請求項１、２或いは３のいずれか記載の茶漉しに於て、当該茶漉しの濾過資材は平面形状が四角形の袋状で、該袋の１組の隣接する２辺はシールされ、他の１組の隣接する２辺は未シール開封されていて、該シールされた２辺の接合点を最下点にして、末広がりの袋状にし、当該支持具に取り付けられた茶漉しで、該未シールの２辺で作られる略三角形の前面と後面の濾過資材それぞれが把っ手になることを特徴とする茶漉しである。
【請求項５】
請求項１、２或いは３のいずれかが記載の茶漉しに於て、当該茶漉しの濾過資材は平面形状が四角形の袋で、該袋内部に被抽出物が充填され、外周縁部は全て密封されている。但し当該濾過資材の袋の１組の隣接する２辺には開封機構が設けられていて、使用時に該開封機構により濾過資材を開封し、シール状態の２辺の接合点を最下点にして、末広がりの袋状にし、当該支持具に取り付けられる茶漉しで、開封された２辺で作られる略三角形の前面と後面の濾過資材それぞれが把っ手になるとことを特徴とする茶漉しである。
【請求項６】
請求項４或いは５のいずれか記載の茶漉しに於て、当該茶漉しの濾過資材の下部に被抽出物が入り込まないよう、底を設けたことを特徴とする茶漉しである。
【発明の詳細な説明】
【技術分野】
【０００１】
本発明はお茶、紅茶等茶葉の成分抽出に関するもので、茶漉しに関するものである。
【背景技術】
【０００２】
一般にコーヒー抽出には末広がりのドリーパーにパルプ原料のフィルターをセットし、コーヒー粉末を適量入れ、注湯して行うドリップ方式が知られている。
【０００３】
一方、お茶、紅茶等茶葉の成分抽出には急須、どびん或いはポット等が使用されている。しかしこれら容器を使用する時、茶殻処理等の煩わしさもあり、いろいろな茶漉しが考案されている。茶殻の一番簡単な処理方法は被抽出物を袋に入れたティーバッグの形になると思うが、茶漉しになると急須等の容器に着脱可能なものが主に利用されている。ただし茶漉しより濾過資材の不織布や金網等が取り外し可能とはなっていない為、茶殻がシンクに散乱したり、茶漉しに残った茶殻の処理に手を濡らすことになる。
【０００４】
更にハンディータイプの柄付き茶漉しも使用されるが、このタイプの茶漉しも濾過資材は茶漉しに固着されたものばかりである。
【先行技術文献】
【特許文献】
【０００５】
【特許文献１】特開２００２−０１７５７５号公報
【特許文献２】特開２００４−３５８１６４号公報
【特許文献３】特開２００４−２８３５３６号公報
【発明の概要】
【発明が解決しようとする課題】
【０００６】
お茶、紅茶等茶葉の成分抽出に使用される柄付き茶漉しや急須等の容器に装置して使用される茶漉しの濾過資材を茶漉しの外枠フレームの支持具より取り外し可能にして、茶殻を、ティーバッグの場合と同様に、濾過資材に包み処理することを課題とする。
【課題を解決するための手段】
【０００７】
茶漉しを使用する度に濾過資材を茶殻と一緒に捨てるので濾過資材は安価である必要がある。又、茶漉しの外枠フレームの支持具より濾過資材が容易に取り外し出来ること、更に茶殻が高温の場合も考慮した安全性も要求される。
【０００８】
依って、お茶、紅茶等茶葉の成分抽出に使用されている不織布等の濾過資材で平面形状が四角形で、１組の隣接する２辺はシールされ、他の１組の隣接する２辺は未シールの開封状態の袋状で、該シールされた２辺の接合点を最下点にし、末広がりの袋にして、茶漉しの外枠フレームで末広がりの支持具に取り付け茶漉しとする。
【０００９】
又前段（０００８）に記述した平面形状が四角形の濾過資材の開封された袋の口より被抽出物を入れ一旦シールをし、該袋の外周縁を密封状態にし、使用時に、該袋に予め設けられた開封機構で１組の隣接する２辺を開封し、末広がりの袋状にして茶漉しの外枠フレームの支持具に取り付け茶漉しとする。
【発明の効果】
【００１０】
本発明の茶漉しに使用する不織布等の濾過資材は平面形状が四角形で１組の隣接する２辺がシールされ、他の１組の隣接する２辺は未シール状態の袋状のもので、この袋は現在お茶や紅茶等のティーバッグ加工に使用されている自動充填機で生産出来ると考えるので、特別機械投資をする必要がなく安価に作られると考えます。
【００１１】
又平面形状が四角形の濾過資材を茶漉しとして取り付けた状態は末広がりの袋状になっていて、外枠フレームの支持具も末広がりにすれば着脱も容易になり
【００１２】
又平面形状が四角形の濾過資材を、１組の隣接するシールされた２辺の接合点を最下点にした末広がりの袋状で茶漉しの支持具に取り付ける為、未シールで開封されて茶漉しの上方に突き出た略三角形の前面と後面の濾過資材が出来る。この略三角形の濾過資材が該支持具より濾過資材全体を取り外す際の把っ手になり、茶殻の高温の危険から守ることになる。
【図面の簡単な説明】
【００１３】
【図１】本発明の茶漉しの濾過資材を示す平面図である。（実施例１）
【図２】本発明の茶漉しの濾過資材１を示す斜視図である。（実施例１）
【図３】本発明の茶漉しの外枠のフレームの支持具を示す斜視図である。（実施例１）
【図４】本発明の茶漉しを示す斜視図である。（実施例１）
【図５】本発明の茶漉しを急須に装置したイメージを示す斜視図である。（実施例１）
【図６】本発明の茶漉しの外枠フレームの支持具を示す斜視図である。（実施例２）
【図７】本発明の茶漉しの濾過資材を示す斜視図である。（実施例２）
【図８】本発明の茶漉しを示す斜視図である。（実施例２）
【図９】本発明の茶漉しの濾過資材を示す平面図である。この濾過資材は被抽出物が既に納められていて、使用時には切り取りの破線７６と辺７５を開封して使用することになりキリトリ等の文字が表示されることもある。
【発明を実施するための最良の形態】
【００１４】
不織布の正方形の濾過資材の同サイズの2枚を切り取り、重ね合わせ、1組の隣接する2辺の縁部をシールし、そのシールされた2辺の接合点を最下点にして、末広がりの袋状にする。
【００１５】
他方前述の濾過資材を支持する外枠フレームの支持具は、該濾過資材の一辺と同長を半径とする半円を薄板状の合成樹脂板で作り、その半径と半径を接合して、逆円錐形にし、該逆円錐形の上底の外側周囲につば形の掛止具を設け、急須等の蓋の載置部に装置出来るようにし、該不織布の濾過資材を逆円錐形の支持具に取り付け茶漉しとする。
【実施例１】
【００１６】
図１は、本発明の茶漉しの濾過資材を示す平面図である。この濾過資材１は同形、同サイズの不織布を２枚正方形に切り取り前面と後面にして重ね合わせ、隣接する辺２と辺３の縁部をシールしたことを示し、辺２と３の接合点６を最下点に置いたものである。
【００１７】
図２は、図１の平面図で示した濾過資材１を末広がりの袋状にしたものの斜視
図である。
【００１８】
図３は、図２の斜視図で示した末広がりの濾過資材１を支持する外枠フレームの支持具の斜視図である。この支持具は、図１の正方形の濾過資材の一辺の長さを半径とする半円を薄板状の合成樹脂板で作り、その半径と半径を接合して逆円錐形に作り上底円周の外側につばの形の掛止具２３を取り付け、更に側面２２に通水用の穴２４を設けたものである。
【００１９】
図４は、本発明の茶漉しの斜視図である。
これは濾過資材１を外枠フレームの支持具２１に取り付けたものである。
【００２０】
図５は、本発明の茶漉し２１を急須４１の蓋４３の載置部４２に装置し蓋４３を載置したことを示す斜視図である。この斜視図で、辺４（４’）と辺５（５’）が作る略三角形の濾過資材が急須４１の蓋４３の外に突き出ていることが分かる。
【００２１】
図６は、本発明の茶漉しの外枠フレームの支持具を示す斜視図である。これは実施例１の外枠フレーム２１の形を変えた例として作ったものである。依ってこの外枠フレーム５１には濾過資材１が取り付けられて本発明の茶漉しの実施例となった。
【実施例２】
【００２２】
図７は、本発明の茶漉しの濾過資材を示す斜視図である。この濾過資材６１は同形、同サイズの不織布を２枚正方形に切り、前面と後面にして重ね合わせ、１組の隣接する2辺の縁部をシールし、更にシールした２辺に交わる辺６６をシールして底部を設けた濾過資材である。
【００２３】
図８は、本発明の茶漉しを示す斜視図である。これは当該濾過資材６１の辺６４の長さを半径とする半円を薄板状の合成樹脂板で作り、その半径と半径を接合して逆円錐形とし、その逆円錐形の下部を押圧するようにして熱で圧着し底８５を設け、濾過資材６１が密着するようにして、濾過資材６１を外枠フレームの支持具８１に取り付けた茶漉しである。
【産業上の利用可能性】
【００２４】
本発明の茶漉しで使用する濾過資材は、帯状の濾過資材をその中心で二つ折りにし、その折り曲げ線に直角に交わるシールをして、そのシール巾の長さで切り取れば作ることが出来る。現在ティーバッグは主にこの方法で生産されているので特別な機械投資をする必要もなく、安価に生産出来ると考える。
【００２５】
本発明の茶漉しは末広がりの外枠フレームの支持具に末広がりの濾過資材であり取り付けと取り外しが簡単で、安全性もあり、お茶等の成分抽出も十分で利用価値はあると考えられる。 
【符号の説明】
【００２６】
１  本発明の茶漉しの濾過資材
２  シールされた辺
３  シールされた辺
４（４’）未シールの辺
５（５’）未シールの辺
６  シールされた辺２と３の接合点
７（７’）把っ手
２１  本発明の茶漉しの外枠フレームの支持具
２２  側面
２３  つば形掛止具
２４  通水用の穴
４１  急須
４２  急須の蓋の載置部
４３  急須の蓋
４４  注ぎ口
４５  握り手
５１  本発明の茶漉しの外枠フレームの支持具
５２  側面
５３  つば形掛止具
５４  通水用の穴
６１  本発明の茶漉しの濾過資材
６２  シールされた辺
６３  シールされた辺
６４（６４’）未シール辺
６５（６５’）未シール辺
６６  底
６７（６７’）把っ手
８１  本発明の茶漉しの外枠フレームの支持具
８２  側面
８３  つば形掛止具
８４  通水用の穴
８５  底
７１  本発明の茶漉しの濾過資材
７２  シールされた辺
７３  シールされた辺
７４  シールされた辺
７５  シールされた辺（開封機構を設えている）
７６  切り取り用破線
７７  キリトリの文字
【図１】
2010284193.tif 000003
【図２】
2010284193.tif 000004
【図３】
2010284193.tif 000005
【図４】
2010284193.tif 000006
【図５】
2010284193.tif 000007
【図６】
2010284193.tif 000008
【図７】
2010284193.tif 000009
【図８】
2010284193.tif 000010
【図９】
2010284193.tif 000011